(57)【要約】  【課題】たとえ片手が塞がっていても、容器本体のどちら側からでも積層薄紙を容易に、素早く引き出せるようにする。  【解決手段】内側に積層薄紙Ｐを収容する収容空間Ｓとこの積層薄紙Ｐの取出し口４とが備わった容器本体２と、前記取出し口４を閉塞並びに解放するための開閉蓋５とが備わり、前記開閉蓋５が前記容器本体２の外壁にほぼ沿って平行にスライド出来るように装着されていると共に、容器本体２と開閉蓋５の辺縁１６の間にこの開閉蓋５による前記取出し口４の閉塞姿勢を保持するロック機構１７が設けられ、このロック機構１７は開閉蓋５の前記辺縁１６上面を押圧することでロック解除可能に構成されている。【選択図】      図１
2012091835.tif 000002
【特許請求の範囲】
【請求項１】
内側に積層薄紙を収容する収容空間とこの積層薄紙の取出し口とが備わった容器本体と、前記取出し口を閉塞並びに解放するための開閉蓋とが備わり、前記開閉蓋が前記容器本体の上壁にほぼ沿って平行にスライド出来るように装着されていると共に、容器本体と開閉蓋の辺縁の間にこの開閉蓋による前記取出し口の閉塞姿勢を保持するロック機構が設けられ、このロック機構は開閉蓋の前記辺縁上面を押圧することでロック解除可能に構成されていることを特徴とするスライド式開閉蓋を有する収納容器。
【請求項２】
内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された開閉蓋とを備え、前記容器本体には前記開閉蓋が前記容器本体の上壁の弧状面にほぼ沿って平行にスライド出来るようにこれを案内するガイドが備わっていると共に、容器本体と開閉蓋の辺縁の間にこの開閉蓋による前記取出し口の閉塞姿勢を保持するロック機構が設けられ、このロック機構は開閉蓋の前記辺縁上面を押圧することでロック解除可能に構成されていることを特徴とするスライド式開閉蓋を有する収納容器。
【請求項３】
ガイドは容器本体の左右の壁面下部に形成されたガイドレールと前記開閉蓋の左右の垂下壁の下部に設けられ、前記ガイドレールに嵌め込まれた駒とで構成されている請求項２記載のスライド式開閉蓋を有する収納容器。
【請求項４】
開閉蓋の辺縁上面には部分的に粗面に形成された押圧面が設けられている請求項２又は３のいずれかに記載のスライド式開閉蓋を有する収納容器。
【請求項５】
ロック機構は開閉蓋辺縁の左右中央下面から容器本体の上壁側に一体的に突設された上向きの係合突部と前記上壁のこの開閉蓋辺縁の中央部に対向する部位の下面に一体に設けられた下向きの係止凹部とから構成されている請求項２〜４のいずれかに記載のスライド式開閉蓋を有する収納容器。
【請求項６】
開閉蓋は取出し口の開口幅よりもやや長寸に形成されていて、開放姿勢でこの取出し口の上方を開放すると共に、容器本体の側面からの側方への突出量がこの開閉蓋のスライド方向の幅のほぼ３分の１以下に設定されている請求項２〜５のいずれかに記載のスライド式開閉蓋を有する収納容器。
【請求項７】
積層薄紙がウエットティッシュである請求項１〜６のいずれかに記載のスライド式開閉蓋を有する収納容器。
【発明の詳細な説明】
【技術分野】
【０００１】
この発明は、ウエットティッシュ等、主として家庭で用いられている多数枚が積層された薄紙を収納するための収納容器に関する。
【背景技術】
【０００２】
従来から、人体等を拭ったり、家屋の床やトイレ等を拭いたりするため等の積層薄紙を収納する収納容器が知られている。
この種の家庭用の積層薄紙の収納容器は、例えば、内側にそのまま集積された若しくは個包装された積層薄紙を収容する収容空間とこの積層薄紙の取出し口を上部に備えた容器本体と、この容器本体の上部に回動自在に設けられて取出し口を開放及び閉塞する開閉蓋とを備えたものが存在したり提案されていたりする。そして、何れもが開閉蓋を上向きに回動させて取出し口を開放し、この取り出し口から積層薄紙を引き出して使用する。使用後は開閉蓋を下向きに回動させて取出し口を閉塞し、積層薄紙に塵や埃が付着するのを防止するようにしてある。（例えば特許文献１〜８参照）。
【発明の概要】
【発明が解決しようとする課題】
【０００３】
ところで、従来のこの種収納容器は、多くのものが開閉蓋を開放した際に、この開閉蓋が上方へ立ち上がってその開放姿勢を保っている（特許文献１〜６参照）。
翻って、この種積層薄紙を容器から引き出す際の状況は、特に赤ちゃんなどの乳幼児のおしり拭きとして使用する場合においては、片方の手に乳幼児を抱き抱えていたり、幼児の足首などを持っていたりといった状況など、往々にして片側の手が塞がっている場合に使用されることが多いのが良く知られている事実でもある。
【０００４】
したがって、この片手が塞がっている状況下で、空いているもう片方の手で積層薄紙を容器から引き出そうとしても、特に容器の背側からでは開閉蓋がその引き出しを邪魔して、また、視界を遮って、中々上手く引き出せないのが常であった。
【０００５】
一方、種々検討の過程で、開閉蓋をその閉塞姿勢から１８０度反転して、取出し口を大きく解放するものも見られる（特許文献７〜８参照）。
【０００６】
しかし、このタイプは開閉蓋をその閉塞姿勢に保つためのロック構造が、一般的には、開閉蓋から一体に突設させた係合片を容器本体に連設したプッシュ片に係合する構造（特許文献６〜７参照）であったり、開閉蓋に設けたノッチを容器本体の係合凹部に係止させる等であったりする。そのために、早期の内に係合力が弱まり、開閉蓋が開きっぱなしになったり、係合片とプッシュ片の係合に不具合が生じても、開け難く、開放作業に時間がかかったりする問題点が見られる。そして、何れの場合にも開放姿勢にあるときの開閉蓋が、容器本体の側方へ大きく突出し、手足に引っ掛かったりして、取り扱い上問題がある。
【０００７】
そこでこの発明の課題は、たとえ片手が塞がっていても、容器本体のどちら側からでも積層薄紙を容易に、素早く引き出せるようにする点である。
【課題を解決するための手段】
【０００８】
以上の技術的な課題を解決するために、この発明の請求項１記載のスライド式開閉蓋を有する収納容器は、内側に積層薄紙を収容する収容空間とこの積層薄紙の取出し口とが備わった容器本体と、前記取出し口を閉塞並びに解放するための開閉蓋とが備わり、前記開
閉蓋が前記容器本体の上壁にほぼ沿って平行にスライド出来るように装着されていると共に、容器本体と開閉蓋の辺縁の間にこの開閉蓋による前記取出し口の閉塞姿勢を保持するロック機構が設けられ、このロック機構は開閉蓋の前記辺縁上面を押圧することでロック解除可能に構成する構造を採用したものである。
【０００９】
以上の構成によれば、開閉蓋の辺縁を押圧することでロックを解除でき、しかも開閉蓋を取出し口の存在仮想平面と平行に横移動させることによって取出し口を開放できるので、容器本体の何れの側からでも、取出し口をしっかり視認できながら、しかもワンタッチで簡便に開閉蓋の開閉が可能になる。
【発明の効果】
【００１０】
従って、この発明の請求項１記載のスライド式開閉蓋を有する収納容器は、開閉蓋が立ち上がって開放姿勢を保つ従来品やロック機構の作動が不安定な従来品と違って、収納容器の向きに関わりなく、どちらの側からも簡便に開閉蓋を開閉でき、併せて開閉蓋に邪魔されることなく、的確、かつ、素早く積層薄紙を取出し口から引き出すことができる。
【００１１】
また、上記の技術的な課題を解決するために、この発明は請求項２に記載のように、内側に積層薄紙の収容空間を備え、上壁が弧状に形成されていて、この上壁に積層薄紙の取出し口が備わった容器本体と、前記取出し口を閉塞並びに解放するための前記上壁の円弧形状に沿って円弧状に形成された開閉蓋とを備え、前記容器本体には前記開閉蓋が前記容器本体の上壁の弧状面にほぼ沿って平行にスライド出来るようにこれを案内するガイドが備わっていると共に、容器本体と開閉蓋の辺縁の間にこの開閉蓋による前記取出し口の閉塞姿勢を保持するロック機構が設けられ、このロック機構は開閉蓋の前記辺縁上面を押圧することでロック解除可能に構成されたものである。
【００１２】
以上の構成によるスライド式開閉蓋を有する収納容器においては、図２の説明断面図に示すように、開閉蓋がロック機構によって取出し口を覆い、収納空間内の積層薄紙が乾燥するのを防止しながら、閉塞姿勢を保っている。この状態から収納空間内の積層薄紙を取り出すには、開閉蓋の辺縁を指先などで押圧して、開閉蓋を押しやり撓ませる。この撓みによって、開閉蓋と容器本体とのロック状態が解除される。ロックが解除された後は、容器本体の向きはそのままで、先ほどの開閉蓋の辺縁を押し付けた指などで、この容器本体の向きに応じて、開閉蓋を手前に引く、又は前方へ押しやる。このようにすることで、図３の作用を示す全体外観図中の矢印で示すように、開閉蓋は容器本体の上壁の弧状面にほぼ沿って平行にスライドする。このスライドはガイドによって円滑に達成される。開閉蓋が取出し口を開放したら、指先で積層薄紙を引き出す。開閉蓋は取出し口の片側へ移るだけであるから、容器本体の向きによって開閉蓋が視界を遮って取出し口が見え難くなることがなく、容器本体の何れの側からでもこの取出し口を的確に視認できる。
【００１３】
積層薄紙を使い終わって取出し口を閉塞するには、図３に示した開放姿勢から、開閉蓋辺縁のプッシュ部に指先を添えて開閉蓋を閉止方向へ押しやり、開閉蓋をガイドに沿ってスライドさせる。最終段階でやや強く押しやってロック機構を作動させ、図１や図２に示す閉塞姿勢を保つようにする。
【００１４】
従って、この発明の請求項２記載のスライド式開閉蓋を有する収納容器は、開閉蓋の辺縁を押圧することでロックを解除でき、しかも開閉蓋を取出し口の存在仮想平面と平行に横移動させることによって取出し口を開放できるので、容器本体の何れの側からでも、取出し口をしっかり視認できながら、しかもワンタッチで簡便に開閉蓋の開閉が可能になる。
その結果、開閉蓋が立ち上がって開放姿勢を保つ従来品やロック機構の作動が不安定な従来品と違って、収納容器の向きに関わりなく、どちらの側からも簡便に開閉蓋を開閉で
き、併せて開閉蓋に邪魔されることなく、的確、かつ、素早く積層薄紙を取出し口から引き出すことができる。
【００１５】
また、この発明に係るスライド式開閉蓋を有する収納容器は、請求項３に記載されるように、ガイドは容器本体の左右の壁面下部に形成されたガイドレールと前記開閉蓋の左右の垂下壁の下部に設けられ、前記ガイドレールに嵌め込まれた駒とで構成されるのが望ましい。
開閉蓋の開閉動作を一層的確、かつ迅速、更にスムーズに行えるからである。
【００１６】
また、請求項４に記載のように、開閉蓋の辺縁上面には部分的に粗面に形成された押圧面に形成されるのが望ましい。
指先の開閉蓋に対するフット感を高め、引っ掛かりを的確にして、開閉を的確、かつ、素早く行えるからである。
【００１７】
更に、請求項５に記載のように、ロック機構は開閉蓋辺縁の左右中央下面から容器本体の上壁側に一体的に突設された上向きの係合突部と前記上壁のこの開閉蓋辺縁の中央部に対向する部位の下面に一体に設けられた下向きの係止凹部とから構成されるのが望ましい。
簡易な構造で、廉価に提供できるからである。
【００１８】
また、請求項６に記載のように、開閉蓋は取出し口の開口幅よりもやや長寸に形成されていて、開放姿勢でこの取出し口の上方を開放すると共に、容器本体の側面からの側方への突出量がこの開閉蓋のスライド方向の幅のほぼ３分の１以下に設定されるのが望ましい。
開閉蓋が大きく側方へ食み出す従来品と違って、側方への突出量が可及的に小さく、安全に取り扱えるからである。
【００１９】
さらに、積層薄紙としてウエットティッシュペーパーを用いるのが望ましい。
この発明に係るスライド式開閉蓋を有する収納容器の機能を最も理想的に働かせることができるからである。
【図面の簡単な説明】
【００２０】
【図１】この発明に係るスライド式開閉蓋を有する収納容器の実施例を示し、一部を取出して拡大した要部の拡大図を含む、開閉蓋を閉めた時の中央部分の説明断面図である。
【図２】開閉蓋を閉めた状態を示す全体外観図である。
【図３】開閉蓋を開いた状態を示す全体外観図である。
【図４】全体側面図で、（Ａ）は開閉蓋を閉めた時の側面図、（Ｂ）は開閉蓋を開いた時の側面図である。
【図５】開閉蓋を開いた時の中央部分の説明断面図である。
【図６】ガイドと開閉蓋の関係を示し、一部を取出して拡大した要部の拡大図を含む、図１中Ａ−Ａ線一部切り欠き説明断面図である。
【図７】開閉蓋の変形例を示す一部切り欠き説明断面図である。
【図８】開閉蓋の別の変形例を示し、（Ａ）は開閉蓋を閉めた時の一部切り欠き側面図、（Ｂ）は開閉蓋を開いた時の一部切り欠き側面図である。
【図９】この発明に係るスライド式開閉蓋を有する収納容器の別の実施例を示し、（Ａ）は開閉蓋を閉めた時の一部切り欠き側面図、（Ｂ）は開閉蓋を開いた時の一部切り欠き側面図である。
【図１０】ロック機構の変形例を示す要部の拡大断面図である。
【図１１】ウエットティッシュの乾燥予防構造を示す全体外観図である。
【発明を実施するための最良の形態】
【００２１】
以下、この発明に係るスライド式開閉蓋を有する収納容器をウエットティッシュペーパー等の積層薄紙の収納容器に適用した場合の実施の形態を図１〜６の記載に基づいて説明する。
【００２２】
本発明のスライド式開閉蓋を有する収納容器１は、図１、図３に示すように、容器本体２と、この容器本体２の上壁３の中央部分に形成されたウエットティッシュ等の積層薄紙（以下単にウエットティッシュと称するが、あくまでもウエットティッシュに限定されるものでないことは言うまでもない）の取出し口４と、この取出し口４を開閉する開閉蓋５とを具備する。
【００２３】
容器本体２は、例えば硬質ポリエチレン、ポリプロピレンなどの合成樹脂を素材にしてほぼ直方体として形成されている。この容器本体２の底壁６は、図１、５に示すように、容器本体２の周壁７に対して凹凸縁８を介して着脱自在に嵌合させる。凹凸縁８の嵌合により、容器本体２内が密封状態に保たれる。凹凸縁８の嵌合を解除してこの底壁６を外すことによって、容器本体２の収納空間Ｓ内にウエットティッシュＰを収納できる。
【００２４】
次に、取出し口４の構成について、図１、図３、図５の記載に基づいて説明する。
容器本体２の上壁（天壁）３の中央部分を収納空間Ｓ側に矩形にやや凹没させて凹部９を一体的に形成する。そして、この凹部９の中央に取出し口４が形成される。開口の形状は容器本体２の長手方向（図１上において紙面の奥行き方向）に延びるようにして、周知の円形、楕円形、長方形、更には波型、十字型など種々選択される（図外）。また、この容器本体２の上壁３は、容器本体の長手方向に直行する方向、つまりは幅方向（図１において紙面の左右方向）で、中央部が軽く上方に盛り上がっていて、容器本体全体としては、側面視ほぼかまぼこ型を呈する。
【００２５】
更に、この上壁３は、前記幅方向をほぼ等分に三分割した一側方の３分の１部分が残りの３分の２部分よりやや上方の高位の位置にあるように寸法設定されている。そして、高位の上壁３Ａと低位の上壁３Ｂの境には、丁度開閉蓋５の肉厚寸法よりやや長い寸法に設定された段差１０が形成される。この段差１０は容器本体２左右の側壁１4 （後述：図２〜４参照）にも連なって一連に形成されていて、開閉蓋５の左右の脚部分１２（後述：図２〜４参照）のガイド溝１５（後述：図２〜４、図６参照）まで連なって設けられている。前記凹部９はこの低位の上壁３Ｂに設けられている。また、前記段差１０は、後述するロック機構１７を形成するのに便利であり、また、開閉蓋５閉めた時の見栄えが良くなるようにするために設けられている。
【００２６】
開閉蓋５は、図１、図３、図４、図５に明示するように、容器本体２の前記幅方向の寸法のほぼ３分の１の幅を備え、設置される位置は低位の上壁３Ｂ存在側である。この開閉蓋５は、例えば硬質ポリエチレン、ポリプロピレンなどの合成樹脂を素材にして形成されている。上壁３の形状に合わせて中央部が軽く上方に盛り上がった円弧状の閉塞板部分１１と、この閉塞板部分１１の両端から下方へ一体に垂下された脚部分１２から構成されている。設置位置は低位の上壁３Ｂ存在側である。閉塞板部分１１は、前記低位の上壁３Ｂに設けられた前記凹部９の全域上方を覆うことが出来る寸法である。また、この前記閉塞板部分１１の段差１０存在側の辺縁１６の中央部分上面には部分的に粗面にした押圧面１１Ａ（図２上ＰＵＳＨ表示部位、図３）が形成されている。指先の開閉蓋５に対するフィット感を高め、引っ掛かりを的確にして、開閉を的確、かつ、素早く行えるようにするためである。粗面の形態としては、砂状の凹凸形状や複数の凸状リブ、更には複数の凹状溝などを用いることができる。
【００２７】
図１、図５、特に図６に示すように、この脚部分１２の下端には夫々内側に突設するスライド駒１３が一体に設けられている。このスライド駒１３は、容器本体２の長手方向の両側の側壁１４の外面下方に、断面コの字型に凹没させて設けられたガイドの一例としてのガイド溝１５に滑動自在に嵌合されている。このガイド溝１５は、前記上壁３の曲率に合わせてほぼ同じ曲率でカーブし、ほぼ前記段差１０相当下方部位から低位の上壁３Ｂの終端相当部分で、容器本体２周壁７の下端に設けられた外向きフランジ７Ａにわたって設けられている。従って、開閉蓋５は脚部分１２を介して、この上壁３の曲率に沿って低位の上壁３Ｂに平行してスライドでき、スライド行程の最終段階で、脚部分１２の一端がこのフランジ７Ａに突き当ってそのスライドが終了する。この時の開閉蓋５の後ろ側の周壁７Ｂ側の突出量は、この発明では、図３、図４（Ｂ）、図５に示すように、概ね開閉蓋５の横幅寸法のほぼ３分の１程度に設定されている。
【００２８】
尚、図６に示すように、前記開閉蓋５の両脚部分１２に設けられたスライド駒１３同士の間隔Ｋ１はガイド溝１５の底同士の間隔Ｋ２と同等若しくはやや広く、かっ、容器本体２両側壁１４の外面同士の間隔Ｋ３よりは狭い寸法に設定されていることは改めて言うまでもない。要するに、スライド駒１３をガイド溝１５から簡単に離脱させず、スムーズに開閉動できるようにするために形成されるものである。
【００２９】
容器本体２と開閉蓋５の辺縁１６の間に、開閉蓋５による前記取出し口４の閉塞姿勢を保持するロック機構１７が設けられている。
ロック機構１７は、図１、同図の拡大部分、図３、図４、図５に示すように、容器本体２側の上壁３の前記段差１０部分内側、つまり上位の上壁３Ａの下面に設けられた係合凹部１８と、開閉蓋５のこの段差側に対向する辺縁１６に段差１０側に向けて一体に突設された係止突起１９とから構成される。係合凹部１８並びに係止突起１９は共に、容器本体２の長手方向の中央部分に相当する位置に設けられている。係合凹部１８は上壁３の前記段差１０からやや内側に入った部位の下面を上方に凹入させて形成されている。また、係止突起１９は先端に前記係合凹部１８に下方から嵌合する上方への突部２０を備えている。この係止突起１９は、前記段差１０に形成された矩形の挿入穴２１を介して高位の上壁３Ａの下面側へ出入りできるように構成されている。
【００３０】
また、図１、図５に示すように、開閉蓋５の辺縁１６の下面とこの辺縁１６下の低位の上壁３Ｂ上面との間には、この開閉蓋５の下方への撓みを許し、係合凹部１８から係合突起１９が離脱を許すに足る隙間２２が存在するように構成されている。この隙間２２は、開閉蓋５の下面が低位の上壁３Ｂの上面よりやや高い位置にあるように、脚部分１２の寸法を設定することで形成されている。
【００３１】
開閉蓋５を開くには次のようにする。
先ず、図１、図２、図４（Ａ）に示す状態で、先ず開閉蓋５の前記辺縁１６の中央部分を指先などで下方へ押圧して、この辺縁１６の中央部分を、前記隙間２２の存在を活用して、下方へ撓ませる。この押圧によって、係止突起１９の突部２０が前記係合凹部１８から下方へ移行して互いの係合状態が解除される。引き続き、図３中矢印で示すように、指先で開閉蓋５を段差１０から低位の上壁３Ａ終端側へ移行させることで取出し口４の上方を開放する。開閉蓋５は両脚部分１２のスライド駒１３が容器本体２のガイド溝１５に案内されてスムーズに低位の上壁３Ｂのカーブに沿ってスライドして、取出し口４を開放する。前記ガイド溝１５は容器本体２後ろ側の周壁７Ｂ手前で、周壁７下端の外向きとフランジ７Ａ上まで形成されているので、脚部分１２の一端がこのフランジ７Ａに突き当ってそのスライドが終了する（図３、図４（Ｂ）、図５参照）。
【００３２】
次に、開閉蓋５閉じるには、図３、図４（Ｂ）、更には図５に示される開放姿勢にある開閉蓋５の押圧面１１Ａを指先で押圧しながら、開閉蓋５を段差１０側へ移行させる。こ
の移行はガイド溝１５とスライド駒１３によってスムーズに行われる。最終的に係止突起１９が係合凹部１８に係合されるまで押圧する。これによって、開閉蓋５の閉止動作が完了し、開閉蓋５取出し口４を閉止する（図１、図２、図４（Ａ）参照）。
【００３３】
次にこの発明の第２の実施例について、図７の記載に基づいて説明する。
図示するように、上記実施例１では押圧面１１Ａが粗面に形成された例を示したが、これに代えて、摘み２３を設けた例を示す。
設置位置は押圧面１１Ａを設けた位置、若しくは閉鎖板部分１１の上壁３Ａ存在側の端縁となる、辺縁１６の中央部分の上面に一体に立ち上げて設けられている。
開閉蓋５の開閉時に、この摘み２３を指先で摘まむことによって、より一層的確に開閉蓋５の開閉を可能にする。
尚、他の構成は上記実施例１と同様であるので、実施例１と同様の符号を付して、詳細な説明は省略する。
【００３４】
更に、以下に説明する実施例３では、収納容器２からウエットティッシュを取出す際の緊急性を勘案して、開閉蓋５の開放姿勢への動きをより一層軽い力で、素早く、また的確に行えるようにすることを意図して開発されたもので、スプリングの弾性反発力を利用して、ロック機構１７によるロック解除後の開閉蓋５の開放動作を素早く行えるようにしたものである。
【００３５】
図８に示すように、開閉蓋５の後ろ側の周壁７Ｂ側の下面に樹脂ばね２４が装着されている。この樹脂ばね２４を、開閉蓋５閉塞時に前記凹部９の後ろ側の周壁７Ｂ側の立ち上がり壁９Ａに弾性反発力に抗して当接させ、ロック機構１７のロック状態が解除されると、樹脂ばね２４の弾性反発力で開閉蓋５が一挙に開放されるようになっている。
【００３６】
樹脂ばね２４は薄板状の長方形状の板バネを中央で二つ折にし、この二つ折り部２４Ａを前記凹部９側に向けた姿勢で、基端側の二枚重ね部分２４Ｂを開閉蓋５の下面にピン止め２５など適宜の手段で固定される。樹脂ばね２４の長さは、適宜設定されるが、図例では開閉蓋５の幅のほぼ４分の１程度である。二つ折り部２４Ａはループになるので、凹部９の後ろ側の周壁７Ｂの立ち上がり壁９Ａに当接すると、この壁９Ａに沿って中間部分から上手く折れ曲がるようにして下方へ移行する。この折れ曲がりによって、弾性反発力が蓄えられる。また、前記凹部９の後ろ側の周壁７Ｂ側の低位の上壁３Ｂ部分の中央には、この樹脂ばね２４の移行と開閉蓋５の閉塞時の折れ曲がり姿勢を許容するための凹入部２６が形成されている。凹入部２６の深さは、この凹入部２６の底壁２６Ａが、図例では、収納容器２内に収められた新規のウエットティッシュ束の最上端面とほぼ同等の高さ位置にあるように設定されている。樹脂ばね２４の素材はとしては、ポリウレタンなどの合成樹脂製またはシリコンゴム、ブタジエンゴム、エチレン−プロピレンゴムなどのゴム製のものを用いることができる。さらに形態（形状）としては、板状の板バネや円筒状のチューブバネなどを用いることができる。また、金属ばねを前記樹脂ばねの代替として用いることもできる。
尚、その他の構成は上記実施例１と同様であるので、実施例１と同様の符号を付して、詳細な説明は省略する。
【００３７】
以上の各実施例では、上壁３を円弧状に形成し、収納容器２全体としては、側面視かまぼこ型に形成してあるが、この実施例４では、図９に示すように、上壁３が扁平に形成されている。この上壁３の扁平形状に合わせて、開閉蓋５も水平に方向に沿った扁平に形成され、また、ガイド溝１５も水平に方向に沿って直線に形成されている。
この実施例４の場合も、開閉蓋５が開いたとき（図９（Ｂ）参照）に、その後ろ側の周壁７からの出っ張る量が前記実施例１と同等で、開いている開閉蓋５が手足に引っ掛かったりする虞も少なく、取り扱い易い。
尚、その他の構成は上記実施例１と同様であるので、実施例１と同様の符号を付して、詳細な説明は省略する。
【００３８】
以上の各実施例において、必要に応じて、前記ロック機構１７のロック強度を強弱種々選択出来るようにするのが望ましい。図１０に示す例は、上記各実施例のものと違って、強く締めたい時の構造を示す。係合凹部１８と係止突起１９との引っ掛かりを強くし、外れにくくしたものである。
具体的には、係合凹部１８の段差１０側をほぼ垂直な面とし、これに対応させて、前記係止突起１９の開閉蓋５に面する側を係合凹部１８の前記垂直面に合わせてほぼ垂直に
形成したものである。係合凹部１８と係止突起１９との引っ掛かりが強くなり、強い閉止が可能になる。
【００３９】
更に、１１図に示すように、前記凹部９の周囲に可撓性のある素材、例えばゴム素材や合成樹脂素材の立ち上がり壁２７を設ける。その立ち上がり高さは、開閉蓋５が凹部９上を覆った閉止時に、この開閉蓋５の下面にこの立ち上がり壁２７の上縁が丁度接触する程度である。つまりは、開閉蓋５の下面と下位の上壁３Ｂとの間に形成されている前記隙間２２と同等寸法である。
ロック機構１７のロックを解除するために、開閉蓋５を下方へ押圧して撓ませるが、この立ち上がり壁２７は可撓性であるから、この開閉蓋５の下方への撓みを自身が撓んで許すので、ロックの解除はスムーズに行われる。
【００４０】
また、前記各実施例において、開閉蓋５の開放量は、前記凹部９の上方全域として説明をした。ウエットティッシュＰを最も引き出し易い、理想的な開放量であるからである。しかし、この発明では、必ずしもこの最適な開放量に拘るものではない。少なくとも取出し口４の上方を開放できるに足る開放量であればウエットティッシュＰは容易に引き出せるものであるから、最小限の開放量で効率良くウエットティッシュＰを引き出せる範囲として、少なくとも取出し口４を解放する量が必要であることは言うまでもなく、この発明では、開放量の範囲としては取出し口４の上方から凹部９の上方の全域にわたる範囲を含み、この範囲内で適宜に設定されるのが望ましい。
【００４１】
また、前記開閉蓋５の辺縁１６の下面とこの辺縁１６下の低位の上壁３Ｂ上面との間には、この開閉蓋５の下方への撓みを許し、係合凹部１８から係合突起１９が離脱を許すに足る隙間２２が存在する構成を実施例１で示したが（図１中拡大部分参照）、図中符号の記載は省略するが、図７〜９に示す実施例２〜４も共に同様の構成を備えていることは言うまでもない。
【００４２】
以上に示したこの本発明に係るスライド式開閉蓋を有する収納容器は、単にウエットティッシュペーパー収納紙容器に適用されるに止まらず、各種軟質材収納容器、その他各種容器など、ワンタッチの開閉を必要とする分野へも適用できることは言うまでもない。
【符号の説明】
【００４３】
１…スライド式開閉蓋を有する収納容器
２…容器本体
３…上壁
３Ａ…上位の上壁
３Ｂ…低位の上壁
４…取出し口
５…開閉蓋
７…周壁
７Ｂ…後ろ側の周壁
９…凹部
１０…段差
１１…閉塞板部分
１２…脚部分
１３…スライド駒
１４…側壁
１５…ガイド溝
１６…辺縁
１７…ロック機構
Ｐ…積層薄紙
Ｓ…収納空間
【先行技術文献】
【特許文献】
【００４４】
【特許文献１】特開２００８−１４３５７５号公報
【特許文献２】特開２００８−１３７６７８号公報
【特許文献３】特開２００８−１００７４９号公報
【特許文献４】特開２００６−３４７５５４号公報
【特許文献５】特開２００１−３４１７８８号公報
【特許文献６】特開２００５−１０４５３６号公報
【特許文献７】特開平１１−３４９０６６号公報
【特許文献８】特開平０８−１０４３７７号公報
【図１】
2012091835.tif 000003
【図２】
2012091835.tif 000004
【図３】
2012091835.tif 000005
【図４】
2012091835.tif 000006
【図５】
2012091835.tif 000007
【図６】
2012091835.tif 000008
【図７】
2012091835.tif 000009
【図８】
2012091835.tif 000010
【図９】
2012091835.tif 000011
【図１０】
2012091835.tif 000012
【図１１】
2012091835.tif 000013